(57)【要約】【課題】製造コストや設置スペースの増大を抑え、かつ異常が発生した冷却回路へも冷媒の供給を継続すること。【解決手段】冷蔵ケース１０及び冷凍ケース２０を冷却するための冷却回路３０，４０を備えた冷却装置において、それぞれの冷却回路３０，４０の高圧部相互間を開閉可能に接続する高圧側連絡通路７１を設けるとともに、それぞれの冷却回路３０，４０の低圧部相互間を開閉可能に接続する低圧側連絡通路７０を設け、通常状態においては高圧側連絡通路７１及び低圧側連絡通路７０をそれぞれ閉鎖する一方、冷凍用冷却回路４０において冷媒の流通が停止した場合には冷蔵用冷却回路３０から冷凍用冷却回路４０へ冷媒の流通が可能となるように高圧側開閉バルブ７３及び低圧側開閉バルブ７２を開状態に保持するようにしている。【選択図】        図３
2006145162.tif 000002
【特許請求の範囲】
【請求項１】
複数の冷却対象を冷却するための冷却回路を備えた冷却装置において、
それぞれの冷却回路の高圧部相互間を開閉可能に接続する高圧側連絡通路を設けるとともに、それぞれの冷却回路の低圧部相互間を開閉可能に接続する低圧側連絡通路を設け、通常状態においては高圧側連絡通路及び低圧側連絡通路をそれぞれ閉鎖する一方、いずれか一方の冷却回路において冷媒の流通が停止した場合には他方の冷却回路から一方の冷却回路へ冷媒の流通を可能とする態様で高圧側連絡通路及び低圧側連絡通路を開放することを特徴とする冷却装置。
【請求項２】
互いに冷却温度の異なる冷却対象を冷却するための冷却回路を備えるとともに、高温側冷却回路の低圧部と低温側冷却回路の高圧部との間に熱交換ユニットを構成した冷却装置であって、
高温側冷却回路の高圧部と低温側冷却回路の高圧部との間を開閉可能に接続する高圧側連絡通路を設けるとともに、高温側冷却回路の低圧部と低温側冷却回路の低圧部との間を開閉可能に接続する低圧側連絡通路を設け、通常状態においては高圧側連絡通路及び低圧側連絡通路をそれぞれ閉鎖する一方、いずれか一方の冷却回路において冷媒の流通が停止した場合には他方の冷却回路から一方の冷却回路へ冷媒の流通を可能とする態様で高圧側連絡通路及び低圧側連絡通路を開放することを特徴とする冷却装置。
【請求項３】
高圧側連絡通路は、
それぞれの冷却回路において気相冷媒が存在している部分の相互間を接続する高圧側気相連絡通路と、
それぞれの冷却回路において液相冷媒が存在している部分の相互間を接続する高圧側液相連絡通路と
を備え、低温側冷却回路において冷媒の流通が停止した場合には高圧側気相連絡通路を閉鎖し、かつ高圧側液相連絡通路を開放する一方、高温側冷却回路において冷媒の流通が停止した場合には高圧側気相連絡通路を開放し、かつ高圧側液相連絡通路を閉鎖することを特徴とする請求項２に記載の冷却装置。
【請求項４】
高圧側連絡通路及び低圧側連絡通路を開閉するための電磁開閉バルブを備えることを特徴とする請求項１または２に記載の冷却装置。
【発明の詳細な説明】
【技術分野】
【０００１】
本発明は、冷却装置に関するもので、より詳細には、冷蔵ケース及び冷凍ケース等のように、互いに冷却温度の異なる冷却対象を冷却するための冷却回路を備えた冷却装置に関するものである。
【背景技術】
【０００２】
例えばコンビニエンスストア等のように、互いに冷却温度の異なる冷蔵ケース及び冷凍ケースの双方を備える店舗では、それぞれを個別の冷却回路によって冷却するのが一般的であり、冷蔵ケースを５℃前後の冷蔵温度に保持して飲料等の冷蔵商品を冷却する一方、冷凍ケースを−１８℃以下の冷凍温度に保持して冷凍食品等の冷凍商品を冷却するようにしている。
【０００３】
この種の冷却装置には、冷蔵用冷却回路の低圧部と冷凍用冷却回路の高圧部との間に熱交換ユニットを構成したものがある。この冷却装置によれば、熱交換ユニットにおいて冷凍用冷却回路の冷媒が凝縮し、その過冷却度が増大するため、圧縮機の運転効率を低下させることなく冷凍ケースを所望の低温度状態に保持することが可能になる（例えば、特許文献１参照）。
【０００４】
【特許文献１】特開２００１−９１０７３号公報
【発明の開示】
【発明が解決しようとする課題】
【０００５】
ところで、上記のような冷却装置では、例えば圧縮機に故障が発生する等の理由によって冷却回路に冷媒を流通させることができなくなった場合、冷蔵ケースあるいは冷凍ケースの冷却を継続することが困難となり、ケース内に収容した商品の品質が損なわれる等の問題を招来することになる。こうした問題を解決するには、冷却装置に新たなバックアップ回路を追加することが考えられる。すなわち、通常状態においては本来の冷却回路で冷媒の流通を行う一方、冷媒流通異常が発生した場合にはバックアップ回路に切り換えて冷媒の流通を継続させれば、ケース内に収容した商品の品質が損なわれる事態を防止することができるようになる。
【０００６】
しかしながら、追加すべきバックアップ回路には、例えばバックアップ専用の圧縮機を備えた冷媒通路を設けなければならず、製造コストや設置スペースが大きく増大することになるのは否めない。特に、冷媒流通異常発生時にのみ使用するバックアップ回路のために製造コストや設置スペースが大きく増大するのは、冷却装置を設置する店舗側にとって受け入れ難い問題である。
【０００７】
本発明の目的は、上記実情に鑑みて、製造コストや設置スペースの増大を抑え、かつ冷媒流通異常が発生した冷却回路へも冷媒の供給を継続することのできる冷却装置を提供することにある。
【課題を解決するための手段】
【０００８】
上記の目的を達成するために、本発明の請求項１に係る冷却装置は、複数の冷却対象を冷却するための冷却回路を備えた冷却装置において、それぞれの冷却回路の高圧部相互間を開閉可能に接続する高圧側連絡通路を設けるとともに、それぞれの冷却回路の低圧部相互間を開閉可能に接続する低圧側連絡通路を設け、通常状態においては高圧側連絡通路及び低圧側連絡通路をそれぞれ閉鎖する一方、いずれか一方の冷却回路において冷媒の流通が停止した場合には他方の冷却回路から一方の冷却回路へ冷媒の流通を可能とする態様で高圧側連絡通路及び低圧側連絡通路を開放することを特徴とする。
【０００９】
また本発明の請求項２に係る冷却装置は、互いに冷却温度の異なる冷却対象を冷却するための冷却回路を備えるとともに、高温側冷却回路の低圧部と低温側冷却回路の高圧部との間に熱交換ユニットを構成した冷却装置であって、高温側冷却回路の高圧部と低温側冷却回路の高圧部との間を開閉可能に接続する高圧側連絡通路を設けるとともに、高温側冷却回路の低圧部と低温側冷却回路の低圧部との間を開閉可能に接続する低圧側連絡通路を設け、通常状態においては高圧側連絡通路及び低圧側連絡通路をそれぞれ閉鎖する一方、いずれか一方の冷却回路において冷媒の流通が停止した場合には他方の冷却回路から一方の冷却回路へ冷媒の流通を可能とする態様で高圧側連絡通路及び低圧側連絡通路を開放することを特徴とする。
【００１０】
また本発明の請求項３に係る冷却装置は、上述した請求項２において、高圧側連絡通路は、それぞれの冷却回路において気相冷媒が存在している部分の相互間を接続する高圧側気相連絡通路と、それぞれの冷却回路において液相冷媒が存在している部分の相互間を接続する高圧側液相連絡通路とを備え、低温側冷却回路において冷媒の流通が停止した場合には高圧側気相連絡通路を閉鎖し、かつ高圧側液相連絡通路を開放する一方、高温側冷却回路において冷媒の流通が停止した場合には高圧側気相連絡通路を開放し、かつ高圧側液相連絡通路を閉鎖することを特徴とする。
【００１１】
また本発明の請求項４に係る冷却装置は、上述した請求項１または２において、高圧側連絡通路及び低圧側連絡通路を開閉するための電磁開閉バルブを備えることを特徴とする。
【発明の効果】
【００１２】
本発明によれば、一方の冷却回路を他方の冷却回路のバックアップ回路として機能させることができるため、製造コストや設置スペースを大きく増大させることなく異常が発生した冷却回路へも冷媒の供給を継続することが可能となる。
【発明を実施するための最良の形態】
【００１３】
以下に添付図面を参照して、本発明に係る冷却装置の好適な実施の形態について詳細に説明する。
【００１４】
（実施の形態１）
図１〜図４は、本発明の実施の形態１である冷却装置を示した回路図である。ここで例示する冷却装置は、コンビニエンスストア等の店舗に設置した冷蔵ケース１０及び冷凍ケース２０をそれぞれ冷却するためのもので、図１に示すように、冷蔵ケース１０用の冷却回路（以下、「冷蔵用冷却回路３０」という）と冷凍ケース２０用の冷却回路（以下、「冷凍用冷却回路４０」という）とを備えている。
【００１５】
冷蔵用冷却回路３０は、冷蔵ケース１０を５℃程度の冷蔵温度に保持するためのもので、冷蔵用冷媒循環通路３１に冷蔵用圧縮機３２、冷蔵用凝縮器３３、冷蔵用減圧器３４、冷蔵用蒸発器３５を順次配置することによって構成してある。このうち、冷蔵用減圧器３４及び冷蔵用蒸発器３５は、冷蔵ケース１０に配設してある一方、冷蔵用圧縮機３２及び冷蔵用凝縮器３３は、室外機５０として構成してある。
【００１６】
冷凍用冷却回路４０は、冷凍ケース２０を−１８℃以下の冷凍温度に保持するためのもので、冷凍用冷媒循環通路４１に冷凍用圧縮機４２、冷凍用凝縮器４３、冷凍通路用チェックバルブ４４、冷凍用減圧器４５、冷凍用蒸発器４６を順次配置して構成してある。このうち、冷凍用減圧器４５及び冷凍用蒸発器４６は、冷凍ケース２０に配設してある一方、冷凍用圧縮機４２及び冷凍用凝縮器４３は、カスケードユニット６０として構成してある。
【００１７】
カスケードユニット６０は、冷蔵用冷却回路３０の低圧部と冷凍用冷却回路４０の高圧部との間に熱交換ユニット６１を構成し、この熱交換ユニット６１において冷凍用冷却回路４０の冷媒を凝縮させることによりその過冷却度を増大させるためのもので、冷蔵用凝縮器３３から分岐して冷蔵用圧縮機３２に至るカスケード通路６２にカスケード用減圧器６３、カスケード用蒸発器６４及びカスケード通路用チェックバルブ６５を順次配置することによって構成してある。カスケード用蒸発器６４は、冷凍用凝縮器４３との間で上述した冷媒の熱交換を行うべく冷凍用凝縮器４３と共に一つの熱交換ユニット６１を構成している。
【００１８】
一方、上記冷却装置には、カスケードユニット６０に低圧側連絡通路７０及び高圧側連絡通路７１が設けてある。低圧側連絡通路７０は、冷凍用冷媒循環通路４１において冷凍用蒸発器４６から冷凍用圧縮機４２に至るまでの間に位置する部分と、冷蔵用冷却回路３０の冷媒が流通するカスケード通路６２においてカスケード通路用チェックバルブ６５から冷蔵用圧縮機３２に至るまでの間に位置する部分とを互いに接続するものである。高圧側連絡通路７１は、冷凍用冷媒循環通路４１において冷凍通路用チェックバルブ４４から冷凍用減圧器４５に至るまでの間に位置する部分と、カスケード通路６２において冷蔵用凝縮器３３からカスケード用減圧器６３に至るまでの間に位置する部分とを互いに接続するものである。
【００１９】
低圧側連絡通路７０及び高圧側連絡通路７１には、それぞれを開放／閉鎖するための低圧側開閉バルブ７２及び高圧側開閉バルブ７３が設けてあり、また冷蔵用冷却回路３０においてカスケード通路６２との接続部から冷蔵用圧縮機３２に至るまでの間、並びに冷蔵用凝縮器３３からカスケード通路６２との接続部に至るまでの間にそれぞれ室外第１バルブ３６及び室外第２バルブ３７が設けてある。
【００２０】
これら低圧側開閉バルブ７２、高圧側開閉バルブ７３、室外第１バルブ３６及び室外第２バルブ３７は、それぞれ電磁式のものであり、コントローラ８０から与えられた制御信号に応じて開閉動作を行う。コントローラ８０は、上述した冷蔵用圧縮機３２及び冷凍用圧縮機４２の運転状態を監視しており、その監視結果に基づいて低圧側開閉バルブ７２、高圧側開閉バルブ７３、室外第１バルブ３６及び室外第２バルブ３７を開閉制御するための制御信号を与えるものである。
【００２１】
上記のように構成した冷却装置では、通常の運転状態にある場合、つまり冷蔵用圧縮機３２及び冷凍用圧縮機４２のそれぞれが正常に動作している場合、コントローラ８０からの制御信号により、図２に示すように、低圧側開閉バルブ７２及び高圧側開閉バルブ７３がそれぞれ閉状態にあり、かつ室外第１バルブ３６及び室外第２バルブ３７がそれぞれ開状態にある。
【００２２】
この結果、冷蔵用冷却回路３０においては、冷蔵用圧縮機３２によって圧縮された冷媒が、冷蔵用凝縮器３３、冷蔵用減圧器３４及び冷蔵用蒸発器３５を順次循環することになり、冷蔵用蒸発器３５を配置した冷蔵ケース１０が冷蔵温度に保持される一方、冷凍用冷却回路４０においては、冷凍用圧縮機４２によって圧縮された冷媒が、冷凍用凝縮器４３、冷凍用減圧器４５及び冷凍用蒸発器４６を順次循環することになり、冷凍用蒸発器４６を配置した冷凍ケース２０が冷凍温度に保持される。この間、冷蔵用圧縮機３２によって圧縮された冷媒の一部が冷蔵用凝縮器３３、カスケード用減圧器６３、カスケード用蒸発器６４を順次循環するため、カスケードユニット６０の熱交換ユニット６１において冷凍用冷却回路４０を流通する冷媒の過冷却度が増大することになる。
【００２３】
上述した通常の運転状態から冷凍用冷却回路４０の冷凍用圧縮機４２に故障が発生すると、これを検出したコントローラ８０は、図３に示すように、低圧側開閉バルブ７２、高圧側開閉バルブ７３、室外第１バルブ３６及び室外第２バルブ３７をそれぞれ開状態に保持する。
【００２４】
この状態においては、冷蔵用圧縮機３２によって圧縮された冷媒が、冷蔵用凝縮器３３、冷蔵用減圧器３４及び冷蔵用蒸発器３５を順次循環することになり、冷蔵用蒸発器３５を配置した冷蔵ケース１０が冷蔵温度に保持される。さらに、冷蔵用圧縮機３２によって圧縮された冷媒の一部が冷蔵用凝縮器３３を通過した後、高圧側連絡通路７１を経て冷凍用減圧器４５及び冷凍用蒸発器４６へ供給され、低圧側連絡通路７０を経て冷蔵用圧縮機３２に返送されるようになる。つまり、冷凍用冷却回路４０において冷媒の流通異常が発生した場合には、冷蔵用冷却回路３０の冷蔵用圧縮機３２によって冷凍用冷却回路４０への冷媒の循環供給が継続されることになる。これにより、冷凍ケース２０の冷却を継続することができるようになり、冷凍ケース２０に収容した商品の品質が損なわれる事態を防止することが可能となる。
【００２５】
これとは逆に冷蔵用冷却回路３０の冷蔵用圧縮機３２に故障が発生すると、これを検出したコントローラ８０は、図４に示すように、低圧側開閉バルブ７２及び高圧側開閉バルブ７３を開状態に保持する一方、室外第１バルブ３６及び室外第２バルブ３７をそれぞれ閉状態に保持する。
【００２６】
この状態においては、冷凍用圧縮機４２によって圧縮された冷媒が、冷凍用凝縮器４３、冷凍用減圧器４５及び冷凍用蒸発器４６を順次循環することになり、冷凍用蒸発器４６を配置した冷凍ケース２０が冷凍温度に保持される。さらに、冷凍用圧縮機４２によって圧縮された冷媒の一部が冷凍用凝縮器４３を通過した後、高圧側連絡通路７１を経て冷蔵用減圧器３４及び冷蔵用蒸発器３５へ供給され、低圧側連絡通路７０を経て冷凍用圧縮機４２に返送されるようになる。つまり、冷蔵用冷却回路３０において冷媒の流通異常が発生した場合には、冷凍用冷却回路４０の冷凍用圧縮機４２によって冷蔵用冷却回路３０への冷媒の循環供給が継続されることになる。これにより、冷蔵ケース１０の冷却を継続することができるようになり、冷蔵ケース１０に収容した商品の品質が損なわれる事態を防止することが可能となる。尚、図４に示す状態においては、高圧側連絡通路７１を通過した後の冷媒の一部がカスケード用減圧器６３及びカスケード用蒸発器６４を通過することになり、カスケードユニット６０の熱交換ユニット６１において冷凍用冷却回路４０を流通する冷媒の過冷却度が増大することになる。
【００２７】
以上説明したように、実施の形態１の冷却装置によれば、冷蔵用冷却回路３０もしくは冷凍用冷却回路４０のいずれか一方において冷媒の流通異常が発生した場合にも、当該冷却回路３０，４０へ冷媒の循環供給を継続することができるため、冷蔵ケース１０もしくは冷凍ケース２０に収容した商品品質を維持することが可能となる。しかも、一方の冷却回路が他方の冷却回路のバックアップ回路として機能するため、専用のバックアップ回路を必要とせず、冷却装置の製造コストや設置スペースを大きく増大させる事態を招来することもない。
【００２８】
（実施の形態２）
図５〜図８は、本発明の実施の形態２である冷却装置を示した回路図である。ここで例示する冷却装置は、実施の形態１と同様に、冷蔵用冷却回路３０及び冷凍用冷却回路４０を備え、これらの冷却回路３０，４０によってコンビニエンスストア等の店舗に設置した冷蔵ケース１０及び冷凍ケース２０をそれぞれ冷却するためのもので、図１〜図４に示した実施の形態１とは、室外第２バルブ３７を取り外す一方、高圧側気相連絡通路となるバイパス通路９０を設ける点が相違している。
【００２９】
すなわち、実施の形態２では、実施の形態１の回路構成において室外第２バルブ３７を省略する一方、冷凍用圧縮機４２から冷凍用凝縮器４３に至るまでの間に位置する部分と冷蔵用圧縮機３２から冷蔵用凝縮器３３に至るまでの間に位置する部分との間を互いに接続する態様でバイパス通路９０を設けるようにしている。このバイパス通路９０には、コントローラ８０からの制御信号に応じて開閉動作を行う電磁式のバイパスバルブ９１が設けてある。尚、実施の形態２において実施の形態１と同様の構成に関しては、同一の符号を付してそれぞれの詳細説明を省略する。また、実施の形態１において高圧側連絡通路７１として記載したものは、実施の形態２において高圧側液相連絡通路として機能することになる。
【００３０】
上記のように構成した冷却装置では、通常の運転状態にある場合、つまり冷蔵用圧縮機３２及び冷凍用圧縮機４２のそれぞれが正常に動作している場合、コントローラ８０からの制御信号により、図６に示すように、低圧側開閉バルブ７２、高圧側開閉バルブ７３及びバイパスバルブ９１がそれぞれ閉状態にあり、かつ室外第１バルブ３６が開状態にある。
【００３１】
この結果、冷蔵用冷却回路３０においては、冷蔵用圧縮機３２によって圧縮された冷媒が、冷蔵用凝縮器３３、冷蔵用減圧器３４及び冷蔵用蒸発器３５を順次循環することになり、冷蔵用蒸発器３５を配置した冷蔵ケース１０が冷蔵温度に保持される一方、冷凍用冷却回路４０においては、冷凍用圧縮機４２によって圧縮された冷媒が、冷凍用凝縮器４３、冷凍用減圧器４５及び冷凍用蒸発器４６を順次循環することになり、冷凍用蒸発器４６を配置した冷凍ケース２０が冷凍温度に保持される。この間、冷蔵用圧縮機３２によって圧縮された冷媒の一部が冷蔵用凝縮器３３、カスケード用減圧器６３、カスケード用蒸発器６４を順次循環するため、カスケードユニット６０の熱交換ユニット６１において冷凍用冷却回路４０を流通する冷媒の過冷却度が増大することになる。
【００３２】
上述した通常の運転状態から冷凍用冷却回路４０の冷凍用圧縮機４２に故障が発生すると、これを検出したコントローラ８０は、図７に示すように、低圧側開閉バルブ７２、高圧側開閉バルブ７３及び室外第１バルブ３６をそれぞれ開状態に保持する一方、バイパスバルブ９１を閉状態に保持する。
【００３３】
この状態においては、冷蔵用圧縮機３２によって圧縮された冷媒が、冷蔵用凝縮器３３、冷蔵用減圧器３４及び冷蔵用蒸発器３５を順次循環することになり、冷蔵用蒸発器３５を配置した冷蔵ケース１０が冷蔵温度に保持される。さらに、冷蔵用圧縮機３２によって圧縮された冷媒の一部が冷蔵用凝縮器３３を通過した後、高圧側連絡通路７１を経て冷凍用減圧器４５及び冷凍用蒸発器４６へ供給され、低圧側連絡通路７０を経て冷蔵用圧縮機３２に返送されるようになる。つまり、冷凍用冷却回路４０において冷媒の流通異常が発生した場合には、冷蔵用冷却回路３０の冷蔵用圧縮機３２によって冷凍用冷却回路４０への冷媒の循環供給が継続されることになる。これにより、冷凍ケース２０の冷却を継続することができるようになり、冷凍ケース２０に収容した商品の品質が損なわれる事態を防止することが可能となる。
【００３４】
これとは逆に冷蔵用冷却回路３０の冷蔵用圧縮機３２に故障が発生すると、これを検出したコントローラ８０は、図８に示すように、低圧側開閉バルブ７２及びバイパスバルブ９１をそれぞれ開状態に保持する一方、高圧側開閉バルブ７３及び室外第１バルブ３６をそれぞれ閉状態に保持する。
【００３５】
この状態においては、冷凍用圧縮機４２によって圧縮された冷媒が、冷凍用凝縮器４３、冷凍用減圧器４５及び冷凍用蒸発器４６を順次循環することになり、冷凍用蒸発器４６を配置した冷凍ケース２０が冷凍温度に保持される。さらに、冷凍用圧縮機４２によって圧縮された冷媒の一部がバイパス通路９０を通過した後、冷蔵用凝縮器３３、冷蔵用減圧器３４及び冷蔵用蒸発器３５へ供給され、低圧側連絡通路７０を経て冷凍用圧縮機４２に返送されるようになる。つまり、冷蔵用冷却回路３０において冷媒の流通異常が発生した場合には、冷凍用冷却回路４０の冷凍用圧縮機４２によって冷蔵用冷却回路３０への冷媒の循環供給が継続されることになる。これにより、冷蔵ケース１０の冷却を継続することができるようになり、冷蔵ケース１０に収容した商品の品質が損なわれる事態を防止することが可能となる。尚、図８に示す状態においては、冷蔵用凝縮器３３を通過した後の冷媒の一部がカスケード用減圧器６３及びカスケード用蒸発器６４を通過することになり、カスケードユニット６０の熱交換ユニット６１において冷凍用冷却回路４０を流通する冷媒の過冷却度が増大することになる。
【００３６】
以上説明したように、実施の形態２の冷却装置によれば、冷蔵用冷却回路３０もしくは冷凍用冷却回路４０のいずれか一方において冷媒の流通異常が発生した場合にも、当該冷却回路３０，４０へ冷媒の循環供給を継続することができるため、冷蔵ケース１０もしくは冷凍ケース２０に収容した商品品質を維持することが可能となる。しかも、一方の冷却回路が他方の冷却回路のバックアップ回路として機能するため、専用のバックアップ回路を必要とせず、冷却装置の製造コストや設置スペースを大きく増大させる事態を招来することもない。
【００３７】
尚、上述した実施の形態１及び２では、いずれもコンビニエンスストア等の店舗に設置した冷蔵ケース及び冷凍ケースをそれぞれ冷却するための冷却装置について例示しているが、本発明は必ずしも冷蔵ケース及び冷凍ケースを冷却対象とする冷却装置に限らない。この場合、冷却対象の冷却温度が互いに異なるものである必要もなく、カスケードユニットを備えている必要もない。
【図面の簡単な説明】
【００３８】
【図１】本発明の実施の形態１である冷却装置を示した回路図である。
【図２】図１に示した冷却装置が通常の運転状態にある場合の冷媒の流通状態を示す回路図である。
【図３】図１に示した冷却装置において冷凍用冷却回路の冷凍用圧縮機が故障した場合の冷媒の流通状態を示す回路図である。
【図４】図１に示した冷却装置において冷蔵用冷却回路の冷蔵用圧縮機が故障した場合の冷媒の流通状態を示す回路図である。
【図５】本発明の実施の形態２である冷却装置を示した回路図である。
【図６】図５に示した冷却装置が通常の運転状態にある場合の冷媒の流通状態を示す回路図である。
【図７】図５に示した冷却装置において冷凍用冷却回路の冷凍用圧縮機が故障した場合の冷媒の流通状態を示す回路図である。
【図８】図５に示した冷却装置において冷蔵用冷却回路の冷蔵用圧縮機が故障した場合の冷媒の流通状態を示す回路図である。
【符号の説明】
【００３９】
１０      冷蔵ケース
２０      冷凍ケース
３０      冷蔵用冷却回路
３１      冷蔵用冷媒循環通路
３２      冷蔵用圧縮機
３３      冷蔵用凝縮器
３４      冷蔵用減圧器
３５      冷蔵用蒸発器
３６      室外第１バルブ
３７      室外第２バルブ
４０      冷凍用冷却回路
４１      冷凍用冷媒循環通路
４２      冷凍用圧縮機
４３      冷凍用凝縮器
４４      冷凍通路用チェックバルブ
４５      冷凍用減圧器
４６      冷凍用蒸発器
５０      室外機
６０      カスケードユニット
６１      熱交換ユニット
６２      カスケード通路
６３      カスケード用減圧器
６４      カスケード用蒸発器
６５      カスケード通路用チェックバルブ
７０      低圧側連絡通路
７１      高圧側連絡通路（高圧側液相連絡通路）
７２      低圧側開閉バルブ
７３      高圧側開閉バルブ
８０      コントローラ
９０      バイパス通路（高圧側気相連絡通路）
９１      バイパスバルブ
【図１】
2006145162.tif 000003
【図２】
2006145162.tif 000004
【図３】
2006145162.tif 000005
【図４】
2006145162.tif 000006
【図５】
2006145162.tif 000007
【図６】
2006145162.tif 000008
【図７】
2006145162.tif 000009
【図８】
2006145162.tif 000010